(57)【要約】      （修正有）【課題】把持する際の荷重が適切な荷重であるか否かをユーザに自覚させることができる筆記具を提供する。【解決手段】筆記具１は、本体２と、本体２の先端に取り付けられ、本体２側への移動が可能とされたペン先部２４と、親指、人差指及び中指を用いて正しく本体２を把持するといずれかの指が接触し、適切な荷重が付加された場合、ペン先部２４の本体２側への移動を規制し、予め定められた荷重以上の過荷重が付加された場合、ペン先部２４の本体２側への移動を許容するロック部２２と、を備えて概略構成されている。【選択図】図３
2019166663.tif 000002
【特許請求の範囲】
【請求項１】
本体と、
前記本体の先端に取り付けられ、前記本体側への移動が可能とされたペン先部と、
親指、人差指及び中指を用いて正しく前記本体を把持するといずれかの指が接触し、適切な荷重が付加された場合、前記ペン先部の前記本体側への移動を規制し、予め定められた荷重以上の過荷重が付加された場合、前記ペン先部の前記本体側への移動を許容するロック部と、
を備えた筆記具。
【請求項２】
前記ロック部は、前記本体の側面からの押し込みによって前記本体に対して移動する貫通孔を有し、
前記ペン先部は、適切な荷重が前記ロック部に付加された場合、前記ロック部と接触する端面を有するロックバーを有し、
前記ロックバーは、前記予め定められた荷重以上の過荷重が前記ロック部に付加された場合、移動した前記貫通孔に入り込んで前記本体側に移動する、
請求項１に記載の筆記具。
【請求項３】
前記本体の中心軸の径方向に前記ロック部に弾性力を付加する第１の弾性体と、
前記本体の中心軸に沿って前記本体の外に向けて前記ペン先部に弾性力を付加する第２の弾性体と、
を備えた請求項２に記載の筆記具。
【請求項４】
前記第１の弾性体は、前記予め定められた荷重を規定する弾性力を前記ロック部に付加する、
請求項３に記載の筆記具。
【請求項５】
前記ロックバーは、前記本体の中心軸側に凹部を有し、
前記凹部は、前記ペン先部の前記本体側への移動の後、前記貫通孔と嵌り合って前記ペン先部の移動を規制する、
請求項１乃至４のいずれか１項に記載の筆記具。
【発明の詳細な説明】
【技術分野】
【０００１】
本発明は、筆記具に関する。
【背景技術】
【０００２】
従来の技術として、グリップ部の断面形状を三角形にし、テーパー状の先口部と該グリップ部の境界に円周縁を設けるとともに、該円周縁の後方に、触覚で分かる円周突起もしくは段部を設けた幼児用シャープペンシルが知られている（例えば、特許文献１参照。）。
【０００３】
この幼児用シャープペンシルは、筆記具の正しい持ち方を体得することができ、しかも回しながら筆記することが可能で同じ太さの字を書くことができる。
【先行技術文献】
【特許文献】
【０００４】
【特許文献１】特開平１０−１００５８２号公報
【発明の概要】
【発明が解決しようとする課題】
【０００５】
しかし従来の幼児用シャープペンシルは、グリップ部を把持する際の荷重が適切な荷重であるか否かをユーザが自覚することができない。
【０００６】
従って本発明の目的は、把持する際の荷重が適切な荷重であるか否かをユーザに自覚させることができる筆記具を提供することにある。
【課題を解決するための手段】
【０００７】
本発明の一態様は、本体と、本体の先端に取り付けられ、本体側への移動が可能とされたペン先部と、親指、人差指及び中指を用いて正しく本体を把持するといずれかの指が接触し、適切な荷重が付加された場合、ペン先部の本体側への移動を規制し、予め定められた荷重以上の過荷重が付加された場合、ペン先部の本体側への移動を許容するロック部と、を備えた筆記具を提供する。
【発明の効果】
【０００８】
本発明によれば、把持する際の荷重が適切な荷重であるか否かをユーザに自覚させることができる。
【図面の簡単な説明】
【０００９】
【図１】図１（ａ）は、実施の形態に係る筆記具の一例を示す概略図であり、図１（ｂ）は、筆記具の持ち方の一例を示す概略図である。
【図２】図２（ａ）は、実施の形態に係る筆記具と各指との接触の仕方の一例を示す概略図であり、図２（ｂ）は、ロック部の一例を示す概略図である。
【図３】図３（ａ）〜図３（ｃ）は、実施の形態に係る筆記具のロック部に予め定められた荷重以上の過荷重が付加された場合のペン先の移動の一例を説明するための概略図である。
【発明を実施するための形態】
【００１０】
（実施の形態の要約）
実施の形態に係る筆記具は、本体と、本体の先端に取り付けられ、本体側への移動が可能とされたペン先部と、親指、人差指及び中指を用いて正しく本体を把持するといずれかの指が接触し、適切な荷重が付加された場合、ペン先部の本体側への移動を規制し、予め定められた荷重以上の過荷重が付加された場合、ペン先部の本体側への移動を許容するロック部と、を備えて概略構成されている。
【００１１】
この筆記具は、把持する際の荷重が過荷重である場合、ペン先部が本体側に移動するので、この構成を採用しない場合と比べて、把持する際の荷重が適切な荷重であるか否かをユーザに自覚させることができる。
【００１２】
[実施の形態]
（筆記具１の概要）
図１（ａ）は、実施の形態に係る筆記具の一例を示す概略図であり、図１（ｂ）は、筆記具の持ち方の一例を示す概略図である。図２（ａ）は、実施の形態に係る筆記具と各指との接触の仕方の一例を示す概略図であり、図２（ｂ）は、ロック部の一例を示す概略図である。図３（ａ）〜図３（ｃ）は、実施の形態に係る筆記具のロック部に予め定められた荷重以上の過荷重が付加された場合のペン先の移動の一例を説明するための概略図である。なお、以下に記載する実施の形態に係る各図において、図形間の比率は、実際の比率とは異なる場合がある。また数値範囲を示す「Ａ〜Ｂ」は、Ａ以上Ｂ以下の意味で用いるものとする。
【００１３】
筆記具１は、例えば、図１（ａ）〜図２（ｂ）に示すように、本体２と、本体２の先端に取り付けられ、本体２側への移動が可能とされたペン先部２４と、親指８１、人差指８２及び中指８３を用いて正しく本体２を把持するといずれかの指が接触し、適切な荷重が付加された場合、ペン先部２４の本体２側への移動を規制し、予め定められた荷重以上の過荷重が付加された場合、ペン先部２４の本体２側への移動を許容するロック部２２と、を備えて概略構成されている。
【００１４】
この筆記具１は、例えば、鉛筆、シャープペンシル、万年筆などである。なお筆記具１は、例えば、ポインティングデバイスとしてのスタイラスペンであっても良い。本実施の形態の筆記具１は、一例として、スタイラスペンであるものとする。
【００１５】
ここで筆記具１がスタイラスペンである場合、筆記対象物９は、一例として、抵抗膜方式、静電容量方式などのタッチパッドである。本実施の形態の筆記対象物９は、一例として、静電容量方式のタッチパッドである。従って本体２の先端に取り付けられたペン先部２４のペン先２４２は、例えば、導電性シリコンゴムなどの導電性樹脂によって形成されている。
【００１６】
筆記具１は、本体２の中心軸１５の径方向にロック部２２に弾性力を付加する第１の弾性体２５と、本体２の中心軸１５に沿って本体２の外に向けてペン先部２４に弾性力を付加する第２の弾性体２６と、を備えている。
【００１７】
（本体２の構成）
本体２は、例えば、図１（ａ）に示すように、円柱形状を有している。また本体２は、一例として、樹脂によって形成されるがこれに限定されず、例えば、金属で形成されても良いし、樹脂と金属とによって形成されても良い。
【００１８】
本体２は、例えば、図１（ａ）及び図１（ｂ）に示すように、先端が先細る先端部２３を有している。この先端部２３からは、ペン先部２４が突出している。この先端部２３は、例えば、本体２と共にらせん状の溝が設けられ、本体２と結合するように構成されても良い。
【００１９】
（ロック部２２の構成）
ロック部２２は、例えば、図２（ｂ）〜図３（ｃ）に示すように、板形状を有している。またロック部２２は、側面２０に設けられた開口２００に挿入されている。
【００２０】
ロック部２２は、基部２２０と、突出部２２４と、を備えている。そしてロック部２２は、例えば、図２（ｂ）〜図３（ｃ）に示すように、本体２の側面２０からの押し込みによって本体２に対して移動する貫通孔２２２を有している。この貫通孔２２２は、ロックバー２４４の端面２４４ａの形状に応じた矩形状を有している。
【００２１】
基部２２０は、矩形状を有し、突出部２２４側に貫通孔２２２が形成されている。この基部２２０の一方の端部には、突出部２２４が設けられている。
【００２２】
この突出部２２４は、例えば、図２（ｂ）に示すように、荷重が付加される前は、本体２の側面２０から先端が突出している。この突出部２２４は、側面２０の形状に応じて上面が円弧となっている。
【００２３】
このロック部２２は、例えば、図３（ａ）〜図３（ｃ）に示すように、本体２の内面２０１から中心軸１５方向に突出する収容部２０４に収容されている。この収容部２０４は、例えば、ロック部２２の移動を案内するように中心軸１５と交差する方向に細長く形成されている。
【００２４】
突出部２２４は、例えば、図２（ｂ）に示すように、両端に突出片２２８が設けられている。この突出片２２８は、本体２の内面２０１と接触してロック部２２の本体２からの抜け止めとして機能するように構成されている。
【００２５】
（先端部２３の構成）
先端部２３は、例えば、図３（ａ）〜図３（ｃ）に示すように、本体２の先端が円錐形状とされた部分である。この先端部２３の内部には、短手方が円形となるガイド孔２０２が形成されている。このガイド孔２０２には、ペン先部２４のロックバー２４４が挿入されている。
【００２６】
先端部２３の端部には、例えば、図３（ａ）〜図３（ｃ）に示すように、抜止部２３０が設けられている。この抜止部２３０は、ガイド孔２０２よりも円の径が徐々に小さくされたテーパー形状を有する部分であり、ペン先部２４が本体２から抜けるのを止めている。
【００２７】
（ペン先部２４の構成）
ペン先部２４は、例えば、例えば、図３（ａ）〜図３（ｃ）に示すように、円錐部２４０と、ペン先２４２と、ロックバー２４４と、を備えて概略構成されている。
【００２８】
円錐部２４０は、円錐形状を有すると共に、円錐の先端が切り落とされて前面２４０ａが形成されている。この前面２４０ａには、ペン先２４２が設けられている。また円錐部２４０の後面２４０ｂには、ロックバー２４４が設けられている。
【００２９】
このロックバー２４４は、例えば、図２（ｂ）に示す貫通孔２２２に応じた四角柱形状を有している。またロックバー２４４は、適切な荷重がロック部２２に付加された場合、ロック部２２と接触するように構成されている。そしてこのロックバー２４４は、予め定められた荷重以上の荷重がロック部２２に付加された場合、移動した貫通孔２２２に入り込んで本体２側に移動するように構成されている。
【００３０】
またロックバー２４４は、本体２の中心軸１５側に凹部２４６を有している。つまり凹部２４６は、例えば、図３（ａ）〜図３（ｃ）の紙面においてロックバー２４４の下側に設けられている。この凹部２４６は、ペン先部２４の本体２側への移動の後、貫通孔２２２と嵌り合ってペン先部２４の移動を規制する。
【００３１】
（第１の弾性体２５及び第２の弾性体２６の構成）
第１の弾性体２５及び第２の弾性体２６は、例えば、弾性力を蓄積及び開放するばねやゴムなどの弾性体によって構成されている。本実施の形態の第１の弾性体２５及び第２の弾性体２６は、一例として、コイルばねとして構成されている。
【００３２】
この第１の弾性体２５は、予め定められた荷重を規定する弾性力をロック部２２に付加している。つまりロック部２２は、予め定められた荷重以上の過荷重が付加されると、開口２００から押し込まれる。そしてロックバー２４４は、例えば、図３（ａ）及び図３（ｂ）に示すように、端面２４４ａ側が貫通孔２２２に嵌まり込むので、ペン先２４２が本体２に収容され、ユーザが筆記できなくなる。つまりユーザは、ペン先２４２が本体２に収容されることにより、強く握り過ぎていることを自覚することができる。
【００３３】
第１の弾性体２５は、例えば、図３（ａ）〜図３（ｃ）に示すように、ロック部２２と共に収容部２０４に収容されている。そして第１の弾性体２５は、例えば、図３（ａ）〜図３（ｃ）の紙面上方向に、ロック部２２に対して弾性力を付加している。この弾性力によって突出片２２８が本体２の内面２０１と接触している場合、ロック部２２の貫通孔２２２とロックバー２４４との位置がずれているので、ロックバー２４４の端面２４４ａがロック部２２の基部２２０と接触してペン先部２４の本体２側の移動を規制している。
【００３４】
第２の弾性体２６は、例えば、図３（ａ）〜図３（ｃ）に示すように、ペン先部２４と収容部２０４との間に配置され、ペン先部２４に対して本体２から突出する方向に弾性力を付加している。つまり第２の弾性体２６は、例えば、図３（ａ）〜図３（ｃ）の紙面の左側に、ペン先部２４に対して弾性力を付加している。
【００３５】
ペン先部２４は、本体２の抜止部２３０の開口の径が円錐部２４０の後面２４０ｂ側の径よりも小さいので、第２の弾性体２６による弾性力によって本体２から飛び出さないようにされている。
【００３６】
（筆記具１の正しい持ち方について）
筆記具は、例えば、タッチパッドや紙などの筆記対象物９の表面９０と中心軸１５のなす角度θが、鉛筆なら５５〜６０度程度、ボールペンなら６０〜９０度の角度で持つことが望ましいとされている。ボールペンは、ペン先の鋼球が回転することで軸内のインクを滲出させて筆記する構造を有しているので、鉛筆と比べて、立てて使うことが望ましい。
【００３７】
筆記具１の正しい持ち方とは、一例として、図１（ｂ）に示すように、手８の小指球８０を表面９０に接触させて筆記具１と表面９０との角度θが上述の角度となるように本体２を親指８１、人差指８２及び中指８３によって支持すると共に、人差指８２のＰＩＰ関節（proximal interphalangeal joint）である第二関節と、ＭＰ関節（metacarpophalangeal joint）である第三関節と、の間に本体２を接触させる持ち方である。
【００３８】
また正しい持ち方としては、上述の持ち方と共に強く握り過ぎないことも重要である。ユーザは、例えば、人差指８２をロック部２２の突出部２２４に接触させた状態で本体２を把持することで、強く握り過ぎている場合、過荷重によってロック部２２が押し込まれて筆記ができなくなり、強く握り過ぎていることを自覚することができる。
【００３９】
以下に本実施の形態の筆記具１の動作について各図を参照しながら説明する。
【００４０】
（動作）
・適切な荷重で把持した場合
ユーザが人差指８２などをロック部２２の突出部２２４に接触させて適切な荷重で把持して筆記した場合、例えば、図３（ａ）に示すように、ペン先部２４のロックバー２４４とロック部２２の基部２２０とが接触する。その結果、ロック部２２は、ペン先部２４の本体２側への移動を規制する。従ってユーザは、筆記することができ、適切な荷重で把持していることを自覚することができる。
【００４１】
・予め定められた荷重以上の過荷重で把持した場合
ユーザが人差指８２などをロック部２２の突出部２２４に接触させて予め定められた荷重以上の過荷重で把持して筆記した場合、例えば、図３（ｂ）に示すように、ペン先部２４のロックバー２４４がロック部２２の貫通孔２２２に嵌り込む。その結果、ロック部２２は、ペン先部２４の本体２側への移動を許容する。そしてユーザがペン先２４２を筆記対象物９に接触させて筆記しようとすると、ペン先部２４が引っ込んでしまい、筆記することができなくなる。従ってユーザは、予め定められた荷重以上の過荷重で把持していることを自覚することができる。
【００４２】
また筆記具１は、過荷重がロック部２２に付加され、ペン先部２４が本体２側に移動することにより、第１の弾性体２５及び第２の弾性体２６が弾性力を蓄積する。そしてユーザが把持する力を弱めると、第２の弾性体２６の弾性力によってペン先部２４が本体２の外に向かって移動する。
【００４３】
またロック部２２は、第１の弾性体２５によって本体２の外に向かって弾性力が付加されているので、ロックバー２４４の凹部２４６が貫通孔２２２に到達してロックバー２４４と貫通孔２２２の下面２２２ｂとの接触が解除されると、下面２２２ｂが凹部２４６に嵌る。従ってペン先部２４は、例えば、図３（ｃ）に示すように、ペン先２４２が本体２から突出するもののそれ以上突出しないようにロック部２２によって移動を規制される。
【００４４】
ユーザが再度ロック部２２を押し込むと、貫通孔２２２の上面２２２ａがロックバー２４４の方向に移動し、下面２２２ｂが凹部２４６から抜けるので、ロックバー２４４が貫通孔２２２を移動可能となる。そしてペン先部２４が第２の弾性体２６の弾性力によって本体２の外に向かって移動し、ロックバー２４４が貫通孔２２２から抜けると共に、抜止部２３０とペン先部２４の円錐部２４０が接触する。ロック部２２は、ロックバー２４４が貫通孔２２２から抜けた後、さらに第１の弾性体２５の弾性力によって移動すると、ロックバー２４４と貫通孔２２２との位置がずれるので、筆記具１は、筆記可能な状態となる。
【００４５】
（実施の形態の効果）
本実施の形態に係る筆記具１は、把持する際の荷重が適切な荷重であるか否かをユーザに自覚させることができる。具体的には、筆記具１は、把持する際の荷重が過荷重である場合、ペン先部２４が本体２側に移動するので、この構成を採用しない場合と比べて、把持する際の荷重が適切な荷重であるか否かをユーザに自覚させることができる。
【００４６】
特にユーザが子供である場合、正しい持ち方で持ったとしても強く握り過ぎる場合がある。この筆記具１は、強く握って過荷重がロック部２２に付加された場合、筆記できないので、ユーザが強く握っていることを自覚して正しい力で筆記具１を持つトレーニングを行うことができると共に、第三者が強く握り過ぎていることを認識して適切な指導を行うことができる。
【００４７】
筆記具１は、過荷重がロック部２２に付加された場合、ペン先部２４が本体２に収容されるので、この構成を採用しない場合と比べて、過荷重の付加によるペン先部２４の破壊を抑制し、保護することができる。
【００４８】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更などを行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれると共に、特許請求の範囲に記載された発明とその均等の範囲に含まれる。
【符号の説明】
【００４９】
１…筆記具、２…本体、８…手、９…筆記対象物、１５…中心軸、２０…側面、２２…ロック部、２３…先端部、２４…ペン先部、２５…第１の弾性体、２６…第２の弾性体、８０…小指球、８１…親指、８２…人差指、８３…中指、９０…表面、２００…開口、２０１…内面、２０２…ガイド孔、２０４…収容部、２２０…基部、２２２…貫通孔、２２２ａ…上面、２２２ｂ…下面、２２４…突出部、２２８…突出片、２３０…抜止部、２４０…円錐部、２４０ａ…前面、２４０ｂ…後面、２４２…ペン先、２４４…ロックバー、２４４ａ…端面、２４６…凹部
【図１】
2019166663.tif 000003
【図２】
2019166663.tif 000004
【図３】
2019166663.tif 000005